(57)【要約】      （修正有）【課題】長物と幅広物の双方を、容易な方法でキャリーバッグに固定して運搬できるようにし、かつ、手荷物としてキャリーバッグを預けた場合でも破損しにくいようにする。【解決手段】キャリーバッグの主要な収納部の辺または面に、タグ２００１を少なくとも一対以上設け、かつこのタグの輪の部分に金具を通したり、他の部材を縫い付けたりすることなく、タグには何も取り付けられていない状態とする。さらに、キャリーバッグの側面の下部にポケットを設けることで、荷物をキャリーバッグの側面に沿わせたときに下方にずれ落ち無いようにする。これらの特徴を持ったキャリーバッグを構成する。また、当該のキャリーバッグのタグを利用して装着することの可能な外付けのポケット状またはフック状の構造を備えたバンド状部材を用意することで、当該のバッグのできるだけ上部に荷物を固定できるようにする。【選択図】図１
2015062452.tif 000002
【特許請求の範囲】
【請求項１】
概直方体の形状を持つ鞄であって、
軟質生地でできた帯状の部材の両方の端が重なるように縫合されて輪をなしたタグと、
前記タグを少なくとも２個上取り付けられた辺または面を持ち、
前記タグに取り付け可能なベルトと、
前記のタグを持つ面の下部にポケット状の袋を持つことを特徴とする、
キャスターおよび伸縮する把手を備えた鞄。
【請求項２】
前記のタグを少なくとも６対以上備えた
ことを特徴とする、請求項１に記載の鞄。
【請求項３】
剛性を持つ板状のフック状の部材と、
前記フック状の部材に取り付け可能なフックとを持つことを特徴とする、
請求項１に記載の鞄。
【請求項４】
前記のタグに装着して、請求項１に記載の鞄に外付けのポケットを増設することの可能な、フック状の部材を持つことを特徴とする請求項１に記載の鞄。
【発明の詳細な説明】
【技術分野】
【０００１】
本発明は、主要な収納部の平面状の部分の主な素材が軟質生地でできているキャリーバッグに関するものである。
【背景技術】
【０００２】
従来より、キャスターと、伸縮する把手とを備えたバッグである、キャリーバッグが周知となっているが、荷物を収納する部分を高さ方向や幅方向に、容易に伸張させられるものではなかった。このため、使用者が傘などの長い荷物（以降、長物と呼ぶ）を手に持たずに移動するためには、主要な収納部のファスナーを少しあけた状態で、長物をはみ出させて収納した状態か、または、主要な収納部以外のポケットへ長物を差し入れて収納した状態で、移動する必要があった。また、幅の広い荷物（以降、幅広物）も同様に、縦にした状態で、長物と同様の方法で収納した状態で移動する必要があった。
【０００３】
これらの方法で収納した場合に、ファスナーが緩むことで長物や幅広物がぐらついたり、ポケットの大きさに対して長物や幅広物が小さいためにぐらついたりすることがあり、長物や幅広物を落としてしまう恐れがあった。
【０００４】
キャスターの無い、肩掛け式カバンやリュックサックの場合は、折り畳み傘を収納するためのフック状の突起が縫い付けられている場合があるが、キャスターのあるキャリーバッグにおいてはこのような突起が長物、幅広物に適した形で設けられているものでは無い。
【０００５】
旅行用鞄に巻きつけて用いることを主眼としたスーツケースベルトと呼ばれる物が存在するが、これはスーツケースなどの旅行用鞄とは分離可能な付属品であり、鞄を一周する形で前記のスーツケースベルトを巻きけてから、当該のベルトを締めるという方法で用いるものである。したがって、このベルトと一緒に長物や幅広物を固定しようとすると、ベルトが左右にずれやすく、固定をするのにコツを要する。また、このベルトを緩めて長物や幅広物を取り外そうとすると、ベルトごと外れてしまうため、長物や幅広物を固定していた側と、鞄に対して、反対の側にベルトのたるみができ、他の物が進入してしまったり、再度締める際にまた左右の位置を調整しながらベルトを締める必要がある。よって、スーツケースベルトで長物や幅広物を、主要な収納部の外側に固定することは容易では無い。
【０００６】
一般の鞄に関しては、ベルト状の布をところどころ鞄に縫い付けて、フック状のものを引っ掛けたり縛り付けられるようにした、モーリーシステムと呼ばれる構造が用いられることがある。鞄の表面と、縫い付けられたベルトとの間に輪が形成され、この輪が鞄の表面に多数並ぶ構造となる。このようなモーリーシステムと同じ構造を、キャリーバッグの表面に設けた場合、表面に他の物が意図せず引っかかりやすくなるために、旅客機での移動時に荷物を預けたりする際などに、他の荷物と引っかかって破損する可能性が生じる。したがって、キャリーバッグのような、大きな鞄の表面に、長物や幅広物をくくりつけるための構造としてモーリーシステムを用いることは適切では無い。
【０００７】
このように、キャリーバッグに関して、主要な収納部には入りきらない長物や幅広物を、使いやすい形で固定でき、かつ実用に耐える形で実現したものはこれまで無かった。
【発明の概要】
【発明が解決しようとする課題】
【０００８】
本発明は以上のような従来の欠点に鑑み、
長物と幅広物の双方を、容易な方法でキャリーバッグに固定して運搬できるようにし、
かつ、手荷物としてキャリーバッグを預けた場合でも破損しにくいようにすること
を目的としている。
【課題を解決するための手段】
【０００９】
上記目的を達成するために、本発明は、
キャリーバッグの主要な収納部の辺または面に、
タグを少なくとも一対以上設け、
かつこのタグの輪の部分に金具を通したり、他の部材を縫い付けたりすることなく、タグには何も取り付けられていない状態とする。
さらに、キャリーバッグの側面の下部にポケットを設けることで、荷物をキャリーバッグの側面に沿わせたときに下方にずれ落ち無いようにする。
これらの特徴を持ったキャリーバッグを構成する。
また、当該のキャリーバッグのタグを利用して装着することの可能な外付けのポケット状またはフック状の構造を備えたバンド状部材を用意することで、当該のバッグのできるだけ上部に荷物を固定できるようにする。
【００１０】
なお、タグとは、
軟質生地でできた帯状の部材の両方の端が重なるように縫い付けられたものである。
また、一対のタグとは、
前記の一つのタグの、帯状の部材の長手方向に離れた地点にも、別のもう一つの前記タグを設けた、２つのタグからなるものである。
【発明の効果】
【００１１】
前記のタグに、フックを備えたゴムベルトを取り付け、このゴムベルトで、荷物をキャリーバッグに沿わせて固定し、さらに下部のポケットに荷物の下部を入れる、あるいは引っ掛けることで、キャリーバッグの主要な収納部の大きさを超える長物や幅広物を、容易には外れ落ちることの無い形でキャリーバッグに固定することができる。
【００１２】
前記ゴムベルトの一方のフックを前記のタグからはずしたとしても、ゴムベルトのもう一方の端は固定されているために、ゴムベルトが左右にずれることが無く、したがってベルトでの荷物の装着は容易である。
【００１３】
また、前記タグの輪は小さいため、キャリーバッグを輸送機関に預けて他の荷物などと擦れあう場合でも、ゴムベルトを装着しない状態であれば意図せず他の物と引っかかることで破損することは起こりにくい。
【図面の簡単な説明】
【００１４】
【図１】実施例１におけるキャリーバッグの斜視図
【図２】実施例１におけるキャリーバッグを図１とは異なる方向から見た斜視図
【図３】図２のＡの箇所の拡大図
【図４】タグ２００１の斜視図
【図５】タグ２００１を平たく変形させた場合の斜視図
【図６】タグ２００１に取り付けるゴムベルトの例
【図７】ゴムベルト７００２を用いて長物７００１を固定した様子
【図８】ゴムベルト７００２を用いて荷物８００１を固定した様子
【図９】実施例２におけるキャリーバッグの斜視図
【図１０】幅広物９００１をキャリーバッグの背面に固定した様子
【図１１】実施例３におけるキャリーバッグの斜視図
【発明を実施するための形態】
【００１５】
以下、本発明の実施例を図に基づいて説明する。
【実施例１】
【００１６】
図１は、本発明の実施例１におけるキャリーバッグの斜視図である。キャリーバッグの主要な収納部１００１には、キャスターと、伸縮する把手１００２と、外付けのポケット１００３とが固定されている。主要な収納部１００１の前面とは図１の１０１３で示された面である。主要な収納部１００１の右側面とは図１の１０１２で示された面である。主要な収納部１００１の上面とは図１の１０１１で示された面である。
キャリーバッグの主要な収納部１００１の右側面にはタグ２００１が複数固定されている。主要な収納部１００１の右側面の下部にはポケット１００５が固定されている。
【００１７】
図２は、本発明のタグつきキャリーバッグの、図１とは異なる方角から見た斜視図である。主要な収納部１００１の背面とは図２の１０１５で示された面である。主要な収納部１００１の左側面とは図２の１０１４で示された面である。
主要な収納部１００１の背面１０１５と、左側面１０１４の下部にはポケット１００５が固定されている。
主要な収納部１００１の左右の側面の周囲には、玉縁１００４が縫合されている。
【００１８】
図３は、図２のＡの箇所を拡大した様子である。玉縁１００４と、主要な収納部の各側面を構成する生地との間に、タグ２００１が挿入された状態で縫合されている。
なお、タグ２００１の固定のされ方はこのように玉縁１００４のある箇所に挿入される位置関係での固定でなくともよく、キャリーバッグの主要な収納部の表面のどの箇所でもよい。
【００１９】
キャリーバッグに取り付けられているタグ２００１の斜視図を図４に示す。タグは帯状の軟質生地でできており、前記帯の一方の端４００２ともう一方の端４００３とが重なりあうように、折り曲げられている。これらの端の付近の面４００４に沿って糸が通るように、縫合されている。全体として、雫形の輪状の形状をなしている。前記帯の長手方向の軸４００１は、雫方の最も膨らんだ箇所と最も尖った箇所とを結ぶ向きに通る。
【００２０】
タグ２００１は、図５のように平たく押しつぶした場合に、縫合されている箇所４００３から、雫形の最も膨らんでいる箇所の内側までの距離、すなわち開口部の大きさは７ミリメートル以下となっている。このタグの開口部の大きさは、ゴムベルトに付属する金具を通すのに必要十分なだけの大きさとなっている。
【００２１】
各側面に配置されたポケット１００５の上下方向の長さは、各側面の上下方向の長さの三分の一以下である。
本発明のキャリーバッグは、タグにゴムベルトを取り付けることで、長物や幅広物をくくりつけることができる。タグ２００１に取り付けるゴムベルトの例を図６に示す。図６中の６００１は伸縮する帯状の部分。図６中の６００２は金属などの硬質の素材でできたフック状の構造を持つ部品である。このフック状の構造を持つ部品６００２をタグ２００１に引っ掛けることでゴムベルトをキャリーバッグに装着する。
【００２２】
タグ２００１は、本実施例では、タグの帯の長手方向の軸４００１が重なるような位置関係で２個ずつ、キャリーバッグの各面の隅付近に設置されている。この２個ずつの組を一対のタグと呼ぶ。
【００２３】
図７は３本のゴムベルト７００２を用いてキャリーバッグの左側面１０１４に長物７００１を固定した様子を示している。
【００２４】
図８は４本のゴムベルト７００２を用いてキャリーバッグの背面１０１５に荷物８００１を固定した様子である。このように、荷物８００１のような、長物であってかつ幅広物である荷物でも固定できる。
【実施例２】
【００２５】
図９は本実施例におけるキャリーバッグの斜視図である。実施例１では、タグにはゴムベルトを装着したが、本実施例ではフック１１０２を備えたバンド状部材１１０１を装着する。バンド状部材１１０１のフック１１０２は、樹脂板等でできた硬質の板１１０５に固定されている。フック１１０２も樹脂で出来ている。
【００２６】
以上のように構成することで、タグの付けられている任意の位置においてフックを設置することができ、一時的に、または運搬用に、荷物を引っ掛けて用いることが可能である。例えば図１０は幅広物９００１を、キャリーバッグのタグ２００１に装着することのできるバンド状部材１１０１を用いて、キャリーバッグの背面１０１５に固定した様子である。図１０のように、キャリーバッグの上部および下部に取り付けたタグにゴムベルト７００２を装着することで固定可能となる。従来のキャリーバッグでは難しい幅広物を、横倒しにせずにそのまま横に長い形のままキャリーバッグに固定することができる。また、バンド状部材１１０１があるために、下部ではなく上部付近に幅広物を固定することができるので、運搬の際に、床付近の障害物にぶつかりにくくなるため、運搬が容易になる。
【００２７】
なお、バンド状部材１１０１は、これ以外の構造をとってもよい。たとえば、フック１１０２の個数はこれよりも多い個数または少ない個数でもよい。また、たとえば板状の部材１１０４は樹脂板でなくともよく、適度に張りのある生地や、生地と発砲樹脂とが組み立てられたものなどでもよい。
【実施例３】
【００２８】
図１１は本実施例におけるキャリーバッグの斜視図である。実施例１ではゴムベルトのみを用いたが、ポケットを備えたバンド状部材１１０６を用いる。ポケットを備えたバンド状部材１１０６は任意のタグの段に取り付ければ良い。バンド状部材１１０６は、軟質生地でできた板状の部分１１０９と１１０７とを備えており、これらの二つの生地の、上部以外の隅が縫合されていることでポケットの形を成している。またバンド状部材１１０６の左右の両端には、フック１１０８が固定されており、このフック１１０８を用いてキャリーバッグのタグ２００１にバンド状部材１１０６を固定することができるようになっている。
【００２９】
なお、このバンド状部材１１０６は他の構造をとってもよい。たとえばポケットをなす板状の部分１１０９と１１０７とは樹脂板等他の材質でできていてもよい。また、ポケットの形状は図１１に示したような台形でなく、長方形や三角形など他の形状でもよい。また、ポケットは途中で縫い付けられており、複数のポケットが連結した形状でもよい。
【００３０】
以上のように構成することで、任意の段にポケットを作ることができ、キャリーバックの高さより短い長ものなどを手に取りやすい高さに刺しておくことが可能となる。
【符号の説明】
【００３１】
１００１           キャリーバッグの主な収納部
１００２           キャリーバッグの伸縮する把手
１００３           キャリーバッグの外付けのポケット
１００４           キャリーバッグの玉縁
１００５           キャリーバッグの下部に設けられたポケット
１０１１           キャリーバッグの上面
１０１２           キャリーバッグの右側面
１０１３           キャリーバッグの前面
２００１           タグ
【図１】
2015062452.tif 000003
【図２】
2015062452.tif 000004
【図３】
2015062452.tif 000005
【図４】
2015062452.tif 000006
【図６】
2015062452.tif 000007
【図７】
2015062452.tif 000008
【図８】
2015062452.tif 000009
【図９】
2015062452.tif 000010
【図１０】
2015062452.tif 000011
【図１１】
2015062452.tif 000012
【図５】
2015062452.tif 000013